(57)【特許請求の範囲】
【請求項１】
内側に集合フェロモン剤が配設されたカメムシ誘引部と、該カメムシ誘引部の上側に配置されたカメムシ捕獲部とからなる果樹カメムシの乾式トラップであって、
前記カメムシ誘引部は、前記集合フェロモン剤を放出してカメムシを誘引する穴若しくはスリットを有するとともに、該カメムシ誘引部の外側および内側にて前記カメムシ捕獲部と連通しており、
前記集合フェロモン剤は前記カメムシ捕獲部から吊り下げられていることを特徴とする果樹カメムシの乾式トラップ。
【請求項２】
前記カメムシ誘引部は、該カメムシ誘引部の下端部から上端部に向けて幅が狭くなるスカート板からなることを特徴とする請求項１に記載の果樹カメムシの乾式トラップ。
【請求項３】
前記カメムシ誘引部は、該カメムシ誘引部の下端部から上端部に向けてその内側の空間が狭くなるスカート状であることを特徴とする請求項１または２に記載の果樹カメムシの乾式トラップ。
【請求項４】
前記カメムシ誘引部は、黄色の外側面を有することを特徴とする請求項１乃至３のいずれか一項に記載の果樹カメムシの乾式トラップ。
【請求項５】
前記カメムシ捕獲部は、前記カメムシ誘引部の下端部よりも小さくされることを特徴とする請求項１乃至４のいずれか一項に記載の果樹カメムシの乾式トラップ。
【請求項６】
前記カメムシ捕獲部は、該カメムシ捕獲部の下端部から上端部に向けて広くなる捕獲室を有することを特徴とする請求項１乃至５のいずれか一項に記載の果樹カメムシの乾式トラップ。
【請求項７】
前記捕獲室には、殺虫剤が入れられることを特徴とする請求項６記載の果樹カメムシの乾式トラップ。
【請求項８】
前記捕獲室には、植物由来の誘引物質が入れられることを特徴とする請求項７記載の果樹カメムシの乾式トラップ。
【請求項９】
前記捕獲室の上部には、発光ダイオードの光源が配置されることを特徴とする請求項６乃至８のいずれか一項に記載の果樹カメムシの乾式トラップ。
【請求項１０】
前記カメムシ捕獲部は、透明若しくは半透明の外側面を有することを特徴とする請求項１乃至９のいずれか一項に記載の果樹カメムシの乾式トラップ。
【請求項１１】
前記集合フェロモン剤は、前記カメムシを歩行させる棒にて吊り下げられていることを特徴とする請求項１乃至１０のいずれか一項に記載の果樹カメムシの乾式トラップ。
【請求項１２】
前記集合フェロモン剤は、チャバネアオカメムシの集合フェロモン剤であることを特徴とする請求項１乃至１１のいずれか一項に記載の果樹カメムシの乾式トラップ。
【請求項１３】
前記乾式トラップは、地上から約１５０乃至１６０ｃｍの高さに設置されることを特徴とする請求項１乃至１２のいずれか一項に記載の果樹カメムシの乾式トラップ。
【請求項１４】
前記乾式トラップは、果樹園から約５０乃至１００ｍ離れた位置に設置されることを特徴とする請求項１乃至１３のいずれか一項に記載の果樹カメムシの乾式トラップ。
【発明の詳細な説明】
【０００１】
【発明の属する技術分野】
本発明は、果樹カメムシの乾式トラップに係り、特に、集合フェロモンを誘引源とする果樹カメムシの乾式トラップに関する。
【０００２】
【従来の技術】
果樹カメムシは、その吸汁によってミカン、ナシ及びビワ等のあらゆる果樹に悪影響を与える重要害虫であり、近年では１９９６年に全国的に大発生し、果樹栽培において大きな問題となった。
前記果樹カメムシには、チャバネアオカメムシ、ツヤアオカメムシ及びクサギカメムシ等が該当し、これらのカメムシは成虫で越冬して翌春の発生源になる。そして、翌春から翌夏の初めにかけて各種の果樹等に被害を与え、この翌夏の初めからは新成虫が発生し、この新成虫が越冬する。
【０００３】
前記果樹カメムシは、上記のような生態を有することが分かっているが、その発生量の変動が大きく、その発生予察の難しい昆虫の一つであり、発生予察が可能になれば翌春の活動前に予め適切な対応を採ることができる。
ここで、前記果樹カメムシは、雄成虫が放出する集合フェロモンによって雄成虫及び雌成虫がともに誘引されることが確認されており、該集合フェロモンを誘引源にして前記果樹カメムシの発生調査を行うトラップが知られている。
【０００４】
図５は、従来における果樹カメムシのトラップの斜視図である。
該果樹カメムシのトラップ１００は、前記集合フェロモンを備え、誘引された果樹カメムシを衝突させるカメムシ誘引部１１０と、水を入れたカメムシ捕獲部１５０と、支柱等にトラップ１００を吊るすトラップ支持部１７０と、トラップ１００を覆う蓋部１８０とからなる湿式のトラップであり、カメムシ捕獲部１５０は、カメムシ誘引部１１０の下側に配置されている。そして、前記果樹カメムシは、前記集合フェロモンに誘引されてカメムシ誘引部１１０の衝突板１１１、１１２に衝突し、カメムシ捕獲部１５０内に落下して捕獲される。
【０００５】
【発明が解決しようとする課題】
ところで、前記果樹カメムシの雄成虫が放出する集合フェロモンは、雌成虫を呼び寄せるのみに用いられるのではなく、他の成虫にエサ場を教えるためにも用いられているものであり、前記誘引された果樹カメムシは、前記集合フェロモンを放出している雄成虫の所にまで行く必要がない。つまり、その雄成虫の周辺の適当な場所に来て止まれば足りる。
【０００６】
よって、前記誘引された果樹カメムシは、カメムシ誘引部１１０の衝突板１１１、１１２に衝突することなく、前記支柱及び蓋部１８０等に止まる場合が多く、誘引される果樹カメムシの数に対して捕獲される果樹カメムシの数は少なく、前記の如くの果樹カメムシの湿式トラップ１００には、依然として課題が残されている。
また、前記集合フェロモンには、前記果樹カメムシのほか、その天敵昆虫であるマルボシハナバエをも誘引し、捕獲してしまうという問題がある。
【０００７】
さらに、前記果樹カメムシの湿式トラップ１００は、カメムシ捕獲部１５０に水を入れているので、捕獲された果樹カメムシが腐敗して悪臭を放つという問題のほか、日差し又は強風によって前記カメムシ捕獲部１５０内の水が蒸発又はこぼれてしまい、数日間連続の調査に耐えられないという問題もある。
【０００８】
ここで、本発明者は、前記集合フェロモンに感応した果樹カメムシが、フェロモン源の周辺に止まった後、上方向に歩行移動する習性を有することを野外観察によって発見した。すなわち、本発明者は、集合フェロモンを誘引源として果樹カメムシを捕獲するには、前記集合フェロモン源の上方にカメムシ捕獲部を配置する必要があるとの新たな知見を得たものである。つまり、前記従来の湿式トラップ１００は、カメムシ捕獲部１５０がカメムシ誘引部１１０の下側に配置されたものであり、前記集合フェロモンに感応した果樹カメムシの習性については、格別の配慮がなされていない。
【０００９】
本発明は、このような問題に鑑みてなされたものであって、その目的とするところは、集合フェロモンによって果樹カメムシを誘引・捕獲し、該果樹カメムシの発生調査・予察を確実に行うことができる果樹カメムシの乾式トラップを提供することである。
【００１０】
【課題を解決するための手段】
前記目的を達成すべく、本発明に係る果樹カメムシの乾式トラップは、基本的には、果樹カメムシを集合フェロモンによって誘い込むカメムシ誘引部と、前記カメムシを捕獲するカメムシ捕獲部とからなり、該カメムシ捕獲部は、前記カメムシ誘引部の上側に配置されることを特徴としている。
【００１１】
前記の如く構成された本発明の果樹カメムシの乾式トラップは、集合フェロモンに感応した果樹カメムシが、カメムシ誘引部の上部に位置するカメムシ捕獲部に向かって歩行移動する習性を利用しているので、果樹カメムシの捕獲効率が湿式トラップよりも高くなり、しかも、天敵昆虫を捕獲することなく果樹カメムシのみを捕獲し、果樹カメムシの発生調査・予察を容易、かつ、的確に行うことができる。
【００１２】
また、本発明に係る果樹カメムシの乾式トラップの具体的態様は、前記カメムシ誘引部は、該カメムシ誘引部の内側に前記集合フェロモンを配設するとともに、前記カメムシ誘引部に前記集合フェロモンを放出する穴若しくはスリットを有すること、若しくは前記カメムシ誘引部は、該カメムシ誘引部の外側或いは内側にて前記カメムシ捕獲部と連通していること、若しくは前記カメムシ誘引部は、該カメムシ誘引部の下端部から上端部に向けて幅が狭くなるスカート板からなること、若しくは前記カメムシ誘引部は、該カメムシ誘引部の下端部から上端部に向けてその内側の空間が狭くなるスカート状であること、又は前記カメムシ誘引部は、黄色の外側面を有することを特徴としている。
【００１３】
さらにまた、本発明に係る果樹カメムシの乾式トラップの他の具体的態様は、前記カメムシ捕獲部は、前記カメムシ誘引部の下端部よりも小さくされること、又は前記カメムシ捕獲部は、該カメムシ捕獲部の下端部から上端部に向けて広くなる捕獲室を有すること、若しくは前記捕獲室には、殺虫剤が入れられること、若しくは前記捕獲室には、植物由来の誘引物質が入れられること、若しくは前記捕獲室の上部には、発光ダイオードの光源が配置されることを特徴とし、さらに、前記カメムシ捕獲部は、透明若しくは半透明の外側面を有することを特徴としている。
【００１４】
また、本発明に係る果樹カメムシの乾式トラップのさらに他の具体的態様は、前記集合フェロモンは、集合フェロモン剤であって、前記カメムシ捕獲部から吊り下げられていること、若しくは該集合フェロモン剤は、前記カメムシを歩行させる棒にて吊り下げられていること、又は前記集合フェロモンは、チャバネアオカメムシの集合フェロモンであることを特徴としている。
【００１５】
さらに、前記乾式トラップは、地上から約１５０乃至１６０ｃｍの高さに設置されること、又は果樹園から約５０乃至１００ｍ離れた位置に設置されることを特徴としている。
【００１６】
【発明の実施の形態】
以下、図面に基づき本発明の果樹カメムシの乾式トラップの一実施形態について説明する。
図１乃至図４は、本実施形態における果樹カメムシの乾式トラップを示したものであり、図１は、前記乾式トラップの部分切断斜視図を示し、図２は、前記乾式トラップの部分分解斜視図、図３は、前記乾式トラップの集合フェロモン部の斜視図、図４は、前記乾式トラップのＩＶ−ＩＶ矢視断面図である。
【００１７】
該果樹カメムシの乾式トラップ１は、集合フェロモンによって果樹カメムシを誘引・捕獲し、該果樹カメムシの発生調査及び発生予察に用いられるものであり、図１に示すように、前記カメムシを集合フェロモン部４０によって誘い込むカメムシ誘引部１０と、前記カメムシを捕獲するカメムシ捕獲部５０とから構成され、カメムシ捕獲部５０は、カメムシ誘引部１０の上側に配置されている。
【００１８】
前記カメムシ誘引部１０は、前記集合フェロモン部４０を覆う四枚のスカート板１１、１２、１３、１４からなり、該各スカート板１１、１２、１３、１４は、その下端部から上端部に向けて幅が狭くされる二段のテーパを有する略台形状をなしている。
【００１９】
また、各スカート板１１、１２、１３、１４には、その略中央部分に前記集合フェロモンを放出して前記カメムシを誘引する略長方形の穴２１、２２、２３、２４が一つずつ設けられているとともに、各スカート板１１、１２、１３、１４の上端部には、略台形の支持板３１、３２、３３、３４が一つずつ設けられている。そして、該支持板３１、３２、３３、３４は、カメムシ誘引部１０とカメムシ捕獲部５０とが合わされる際に、支持板３１、３２、３３、３４がカメムシ捕獲部５０を支持するべく、各スカート板１１、１２、１３、１４に対して角度をなして一体に形成されている。
【００２０】
そして、前記カメムシ誘引部１０は、各スカート板１１、１２、１３、１４の長手方向の上方側にてそれぞれ接合されることにより、下端から上端にかけてその内側の空間を狭くするスカート状に形成される。すなわち、相隣り合うスカート板１１と１２、スカート板１２と１３、スカート板１３と１４、スカート板１４と１１の各上段側テーパ部分を接合することにより、前記カメムシ捕獲部５０に向けて先細りとなっている。また、前記各上段側テーパ部分をそれぞれ接合することにより、各スカート板１１、１２、１３、１４の下段テーパ部分の間には、前記集合フェロモンを放出して前記カメムシを誘引するスリット２５、２６、２７、２８が形成される。なお、前記カメムシ誘引部１０の各スカート板１１、１２、１３、１４の外側面は、黄色にされており、前記カメムシの誘引の強化が図られている。
【００２１】
前記カメムシ捕獲部５０は、上方への歩行移動という前記果樹カメムシの習性を利用して、前記カメムシ誘引部１０の上側に配置され、しかも、前記スカート板１１、１２、１３、１４の下端部よりも小さくされており、図２に示されているように、前記捕獲室６０と、該捕獲室６０の上部を覆う捕獲蓋８０と、乾式トラップ１を支柱等に吊るすトラップ吊ロープ７０とからなる。
【００２２】
前記捕獲室６０は、該捕獲室６０の外側面を形成する四枚の捕獲室外板５１、５２、５３、５４と、該捕獲室６０の内側面を形成する四枚の接合板６１、６２、６３、６４、捕獲室内板７１、７２、７３、７４、カメムシ導入板８１、８２、８３、８４と、捕獲蓋８０とによって形成される。
前記捕獲室内板７１、７２、７３、７４は、その下端部から上端部に向けて幅が狭くされる略台形をなし、前記カメムシ誘引部１０の支持板３１、３２、３３、３４の上端側にてそれぞれ支持固定される。
【００２３】
前記接合板６１、６２、６３、６４は、前記捕獲室内板７１、７２、７３、７４の下端部側に位置し、該下端部の幅に等しい辺を有する略長方形をなし、前記各捕獲室内板７１、７２、７３、７４が前記各支持板３１、３２、３３、３４に支持される際に、前記各接合板６１、６２、６３、６４が前記各捕獲室外板５１、５２、５３、５４の下側面とそれぞれ接合されるべく、各捕獲室内板７１、７２、７３、７４に対して角度をなして一体に形成されている。
【００２４】
前記カメムシ導入板８１、８２、８３、８４は、前記捕獲室内板７１、７２、７３、７４の上端部側に位置し、該上端部の幅に等しい辺を有する略長方形をなし、前記接合板６１、６２、６３、６４と平行をなして前記捕獲室内板７１、７２、７３、７４に一体に形成され、相隣り合う各カメムシ導入板８１、８２、８３、８４の側面部分が接合されることにより、前記カメムシの導入孔が形成される。また、前記カメムシ導入板８１、８３の上端部には、切欠き８５、８６が形成されており、後述する集合フェロモン部４０の支持棒４２が係合される。
【００２５】
そして、捕獲室６０は、前記捕獲室外板５１、５２、５３、５４にて囲まれた部分の内側であって、前記接合板６１、６２、６３、６４による接合部分を捕獲室６０の底とし、前記捕獲室内板７１、７２、７３、７４にて囲まれた部分の外側と、前記カメムシ導入板８１、８２、８３、８４にて囲まれた部分の外側と、前記捕獲蓋８０の下側とによって形成され、前記カメムシ導入板８１、８２、８３、８４の上端部にて前記カメムシ誘引部１０の内部と連通しており、前記底から上方に向けて広くなっている捕獲室６０には殺虫剤が入れられている。なお、前記カメムシ捕獲部５０の捕獲室外板５１、５２、５３、５４は、透明若しくは半透明にされており、光を透過させて観察の容易化が図られている。
【００２６】
図３は、前記集合フェロモン部４０の斜視図である。
該集合フェロモン部４０は、集合フェロモンを含浸させたチューブタイプの集合フェロモン剤４１と、該集合フェロモン剤４１を吊り下げ支持する集合フェロモン剤支持棒４２と、該集合フェロモン剤支持棒４２と同じ材質・太さの集合フェロモン剤吊棒４３とからなり、集合フェロモン剤支持棒４２は、前記カメムシ導入板８１、８３の切欠き８５、８６に係合される。そして、集合フェロモン剤吊棒４３は、前記カメムシを歩行させるべく、逆略Ｕ字状の集合フェロモン剤４１の略中央から上方に向かって伸び、前記集合フェロモン剤支持棒４２の略中央にて固定される。該集合フェロモン剤吊棒４３は、集合フェロモン剤４１が前記各スカート板１１、１２、１３、１４の略長方形の穴２１、２２、２３、２４の高さに対向するべく適当な長さに設定される。
【００２７】
集合フェロモン剤４１に含浸された集合フェロモンは、チャバネアオカメムシの雄成虫が放出する集合フェロモンの主成分と同等のものであり、この集合フェロモンには、チャバネアオカメムシのほか、ツヤアオカメムシ及びクサギカメムシ等の果樹カメムシを誘引することができる。
【００２８】
前記の如く構成された乾式トラップ１の使用手順について、以下に説明する。まず、乾式トラップ１は、前記果樹カメムシの活動期間である４月乃至１０月の期間に設置される。なお、果樹の被害に関する果樹カメムシの発生量を調査する場合には、前記果樹が果実を有する期間であっても良い。
【００２９】
また、前記乾式トラップ１は、果樹園から約５０乃至１００ｍ離れた平坦で風通しの良く、かつ、見通しの良い位置に設置される。なぜならば、前記果樹カメムシの発生時期及び発生量を正確に知るためには前記果樹園の中又はそのごく近傍に設置するのが好ましいが、この場合には、前記集合フェロモンに誘引された果樹カメムシが、前記果樹園に被害を及ぼす可能性があるからである。さらに、前記乾式トラップ１は、集合フェロモン源である前記集合フェロモン剤４１が、地上から約１５０乃至１６０ｃｍの高さに位置するように設置される。
【００３０】
次に、乾式トラップ１における前記果樹カメムシの動きについて説明する。    図４は、乾式トラップ１のＩＶ−ＩＶ矢視断面図であり、前記集合フェロモンに誘引されて乾式トラップ１の周辺に飛来した果樹カメムシは、前記カメムシ誘引部１０の各スカート板１１、１２、１３、１４の外側に止まり、そのうち、一部の前記カメムシは、前記集合フェロモンによってさらに誘引され、前記略長方形の穴２１、２２、２３、２４若しくは前記スリット２５、２６、２７、２８等を介して前記カメムシ誘引部１０の各スカート板１１、１２、１３、１４の内側に入り込む。
【００３１】
そして、前記果樹カメムシは、前記各スカート板１１、１２、１３、１４の外面側及び内側面に沿って上方向、すなわち、前記カメムシ捕獲部５０に向かって歩行移動し、例えば、前記各スカート板１１、１２、１３、１４の外面側及び内側面から前記カメムシ誘引部１０の支持板３１、３２、３３、３４を伝い、前記捕獲室内板７１、７２、７３、７４の内側面及び前記カメムシ導入板８１、８２、８３、８４の内側面に沿って捕獲室６０の内部であるカメムシ導入板８１、８２、８３、８４の上端部に到達、又は、前記集合フェロモン剤吊棒４３を伝ってカメムシ導入板８１、８２、８３、８４の上端部に到達する。そして、該カメムシ導入板８１、８２、８３、８４の上端部に到達した果樹カメムシは、行き場を失い、捕獲室６０内に入れられた前記殺虫剤の中に落下して捕殺される。
以上のように、本発明の前記実施形態は、上記の構成によって次の機能を奏するものである。
【００３２】
すなわち、果樹カメムシの乾式トラップ１は、前記カメムシを集合フェロモン部４０によって誘い込むカメムシ誘引部１０と、前記カメムシを捕獲するカメムシ捕獲部５０とから構成され、カメムシ捕獲部５０は、カメムシ誘引部１０の上側に配置されているとともに、前記カメムシ誘引部１０が、前記集合フェロモン部４０を覆う四枚のスカート板１１、１２、１３、１４からなり、該各スカート板１１、１２、１３、１４は、その下端部から上端部に向けて幅が狭くされるとともに、その内側の空間が狭くされて前記カメムシ捕獲部５０の捕獲室６０と連通しており、集合フェロモンに感応して侵入した果樹カメムシが、カメムシ誘引部１０の上部に位置するカメムシ捕獲部５０に向かって歩行移動する習性を利用しているので、果樹カメムシの捕獲効率が従来の湿式トラップ１００よりも高くなり、しかも、天敵昆虫を捕獲することなく果樹カメムシのみを捕獲することができ、前記果樹カメムシの防除の要否、防除時期の決定等の果樹カメムシの発生予察を正確に行うことができ、果樹栽培の生産安定性に大きく寄与することができる。
【００３３】
また、前記カメムシ捕獲部５０は、捕獲室外板５１、５２、５３、５４にて囲まれた部分の内側であって、前記接合板６１、６２、６３、６４との接合部分を底とし、前記捕獲室内板７１、７２、７３、７４にて囲まれた部分の外側と、前記カメムシ導入板８１、８２、８３、８４にて囲まれた部分の外側と、捕獲蓋８０の下側とによって形成され、前記底から上方に向けて広くなっている捕獲室６０を有し、該捕獲室６０には殺虫剤が入れられているので、捕獲された果樹カメムシが腐敗・破損することがなく、従来の湿式トラップ１００のように、日差し又は強風によって水が蒸発又はこぼれてしまうことがなくなり、数日間以上（例えば、７日間）連続の調査にも耐えることができる。
さらに、従来の湿式トラップ１００と本実施形態の乾式トラップ１との比較結果を以下に示す。
【００３４】
【表１】
0003541217.tif 000002
【００３５】
上記比較結果から理解されるように、本実施形態の乾式トラップ１は、従来の湿式トラップ１００に比してカメムシ類の捕獲数が多く、しかも、該カメムシ類の天敵昆虫であるマルボシハナバエについては、前記乾式トラップ１のカメムシ捕獲部５０に侵入せずに捕獲されないことから、前記乾式トラップ１は、従来の湿式トラップ１００に比して天敵保護の点からも有利であることが分かる。
以上、本発明の実施形態について詳述したが、本発明は前記実施形態に限定されるものではなく、特許請求の範囲に記載された本発明の精神を逸脱することなく設計において種々の変更ができるものである。
【００３６】
例えば、前記実施形態の捕獲室６０には殺虫剤が入れられているが、このほかに植物由来等の誘引物質が入れられていてもよく、この場合には、前記捕獲室６０内により多くの果樹カメムシを誘引することができる。
また、前記捕獲室６０の上部、例えば、捕獲室６０の上部を覆う捕獲蓋８０の内側には、発光ダイオード等の光源が配置されていても良く、この場合にも、前記捕獲室６０内により多くの果樹カメムシを誘引することができる。
【００３７】
【発明の効果】
以上の説明から理解されるように、本発明に係る果樹カメムシの乾式トラップは、集合フェロモンに感応した果樹カメムシが、上部のカメムシ捕獲部に向かって歩行移動するので、天敵昆虫を捕獲することなく果樹カメムシを捕獲し、該果樹カメムシの発生調査・予察を容易、かつ、的確に行うことができる。
【図面の簡単な説明】
【図１】本実施形態における果樹カメムシの乾式トラップの部分切断斜視図。
【図２】図１の乾式トラップの部分分解斜視図。
【図３】図１の乾式トラップにおける集合フェロモン部の斜視図。
【図４】図１の乾式トラップのＩＶ−ＩＶ矢視断面図。
【図５】従来における果樹カメムシの湿式トラップの斜視図。
【符号の説明】
１  果樹カメムシの乾式トラップ
１０  カメムシ誘引部
１１、１２、１３、１４  スカート板
２１、２２、２３、２４  穴
２５、２６、２７、２８  スリット
４０  集合フェロモン部
４１  集合フェロモン剤
４３  集合フェロモン剤吊棒
５０  カメムシ捕獲部
５１、５２、５３、５４  外板
６０  捕獲室
【図１】
0003541217.tif 000003
【図２】
0003541217.tif 000004
【図３】
0003541217.tif 000005
【図４】
0003541217.tif 000006
【図５】
0003541217.tif 000007